(57)【要約】【課題】再封した場合にも良好な封緘性を維持できる袋体収納カートンを提供する。【解決手段】ブランクシートを組み立てて形成され袋体を収納する。正面板１１、上面板、背面板、底面板、及び底面板に連結された端部に位置して正面板の裏面に接合される重合片１５を有する。正面板に配置された摘み部４０と、摘み部と連結され、摘み部の正面板と上面板とが交差する稜線ＲＬ方向における両端からそれぞれ上面板に亘って配置された破断線で区画された蓋部５０と、を備える。摘み部は、重合片が接合された領域に配置される。重合片は、摘み部と蓋部との連結部と対向する位置に稜線方向の幅が摘み部よりも長く摘み部が挿抜可能な差込み口３６を有する。蓋部は、連結部において摘み部の稜線方向両側に突出し稜線方向の差し渡し幅が差込み口よりも長い段部５３を有する。【選択図】図３
2018162096.tif 000002
【特許請求の範囲】
【請求項１】
ブランクシートを組み立てて形成され袋体を収納する袋体収納カートンにおいて、
正面板、上面板、背面板、底面板、及び前記底面板に連結された端部に位置して前記正面板の裏面に接合される重合片を有し、
前記正面板に配置された摘み部と、
前記摘み部と連結され、前記摘み部の前記正面板と前記上面板とが交差する稜線方向における両端からそれぞれ前記上面板に亘って配置された破断線で区画された蓋部と、を備え、
前記摘み部は、前記重合片が接合された領域に配置され、
前記重合片は、前記摘み部と前記蓋部との連結部と対向する位置に、前記稜線方向の幅が前記摘み部よりも長く前記摘み部が挿抜可能な差込み口を有し、
前記蓋部は、前記連結部において前記摘み部の前記稜線方向両側に突出し前記稜線方向の差し渡し幅が前記差込み口よりも長い段部を有することを特徴とする袋体収納カートン。
【請求項２】
前記重合片は、内側に突出させ前記正面板との接合面に局所的に凹形状に形成されたエンボス部を有し、
前記エンボス部は、前記摘み部の前記底面板側の端縁よりも前記上面板側と、前記端縁よりも前記底面板側とに亘る大きさで配置されていることを特徴とする請求項１記載の袋体収納カートン。
【請求項３】
前記上面板における前記破断線と前記稜線とが交差する角度と、前記正面板における前記破断線と前記稜線とが交差する角度とが異なることを特徴とする請求項１または２記載の袋体収納カートン。
【請求項４】
前記正面板における前記破断線と前記稜線とが交差する角度は、前記上面板における前記破断線と前記稜線とが交差する角度よりも大きいことを特徴とする請求項３記載の袋体収納カートン。
【請求項５】
前記袋体は、開口部を開閉する線ファスナー部を有しており、前記線ファスナー部と底辺部とが対向するように二つ折りされた後に、前記線ファスナー部が外側となるように、さらに二つ折りまたは丸められ、前記ファスナー部を含む面が前記正面板と対向し、且つ、前記開口部が前記底面板と対向する向きで二つ折り線方向を前記稜線方向と平行に収納されていることを特徴とする請求項１から４のいずれか一項に記載の袋体収納カートン。
【発明の詳細な説明】
【技術分野】
【０００１】
本発明は、袋体収納カートンに関するものである。
【背景技術】
【０００２】
食品等を保存する袋としては、開口部が開閉自在なファスナー（例えば、線ファスナー）付きの袋体が広く用いられている。これらの袋体は、利便性の観点から複数枚を、例えば、紙製のカートンに収納されていることが一般的である。複数枚の袋体を収納するため、カートンには、袋体を取り出すための開封口と、衛生面から再封機能が求められている。
【０００３】
このようなカートンとして、例えば、特許文献１には、摘み部と、摘み部の近傍に配置されたスリットとが設けられ、摘み部を起点としてミシン目を破断して蓋部を開封するとともに、摘み部をスリットに挿入することで蓋部を再封可能なカートンが開示されている。
【先行技術文献】
【特許文献】
【０００４】
【特許文献１】特開２０１３−２３７４７４号公報
【発明の概要】
【発明が解決しようとする課題】
【０００５】
しかしながら、上述のカートンにおいては、摘み部が所定量以上スリット部に挿入されると上面部における蓋部が所定位置よりも下がってしまう。この場合、再封したときに上面部と蓋部とが面一とならず隙間が形成されるため、封緘性に問題が生じる。
【０００６】
本発明は、以上のような点を考慮してなされたもので、再封した場合にも良好な封緘性を維持できる袋体収納カートンを提供することを目的とする。
【課題を解決するための手段】
【０００７】
本発明の第１の態様に従えば、ブランクシートを組み立てて形成され袋体を収納する袋体収納カートンにおいて、正面板、上面板、背面板、底面板、及び前記底面板に連結された端部に位置して前記正面板の裏面に接合される重合片を有し、前記正面板に配置された摘み部と、前記摘み部と連結され、前記摘み部の前記正面板と前記上面板とが交差する稜線方向における両端からそれぞれ前記上面板に亘って配置された破断線で区画された蓋部と、を備え、前記摘み部は、前記重合片が接合された領域に配置され、前記重合片は、前記摘み部と前記蓋部との連結部と対向する位置に、前記稜線方向の幅が前記摘み部よりも長く前記摘み部が挿抜可能な差込み口を有し、前記蓋部は、前記連結部において前記摘み部の前記稜線方向両側に突出し前記稜線方向の差し渡し幅が前記差込み口よりも長い段部を有することを特徴とする袋体収納カートンが提供される。
【０００８】
また、上記本発明の一態様に係る袋体収納カートンにおいて、前記重合片は、内側に突出させ前記正面板との接合面に局所的に凹形状に形成されたエンボス部を有し、前記エンボス部は、前記摘み部の前記底面板側の端縁よりも前記上面板側と、前記端縁よりも前記底面板側に亘る大きさで配置されていることを特徴とする。
【０００９】
また、上記本発明の一態様に係る袋体収納カートンにおいて、前記上面板における前記破断線と前記稜線とが交差する角度と、前記正面板における前記破断線と前記稜線とが交差する角度とが異なることを特徴とする。
【００１０】
また、上記本発明の一態様に係る袋体収納カートンにおいて、前記正面板における前記破断線と前記稜線とが交差する角度は、前記上面板における前記破断線と前記稜線とが交差する角度よりも大きいことを特徴とする。
【００１１】
また、上記本発明の一態様に係る袋体収納カートンにおいて、前記袋体は、開口部を開閉する線ファスナー部を有しており、前記線ファスナー部と底辺部とが対向するように二つ折りされた後に、前記線ファスナー部が外側となるように、さらに二つ折りまたは丸められ、前記ファスナー部を含む面が前記正面板と対向し、且つ、前記開口部が前記底面板と対向する向きで二つ折り線方向を前記稜線方向と平行に収納されていることを特徴とする。
【発明の効果】
【００１２】
本発明では、再封した場合にも良好な封緘性を維持できる袋体収納カートンを提供することが可能になる。
【図面の簡単な説明】
【００１３】
【図１】本発明の実施の形態を示す図であって、袋体収納カートン１の外観斜視図である。
【図２】袋体収納カートン１を形成するブランクシート１０の平面図である。
【図３】正面板１１における長手方向中央を拡大した図である。
【図４】エンボス部３５および開口部３０の周辺を中央で断面した図である。
【図５】複数の袋体１００の外観斜視図である。
【図６】複数枚の袋体１００を袋体収納カートン１に収容する際の曲げ方について説明する図である。
【図７】袋体収納カートン１を開封して袋体１００を取り出す手順を示す図である。
【図８】摘み部４０が分離された正面板１１における中央を拡大した図である。
【図９】摘み部４０が差し込み口３６に挿入された正面板１１における中央を拡大した図である。
【発明を実施するための形態】
【００１４】
以下、本発明の袋体収納カートンの実施の形態を、図１ないし図９を参照して説明する。
なお、以下の実施形態は、本発明の一態様を示すものであり、この発明を限定するものではなく、本発明の技術的思想の範囲内で任意に変更可能である。また、以下の図面においては、各構成をわかりやすくするために、実際の構造と各構造における縮尺や数等を異ならせている。
【００１５】
［袋体収納カートン１］
図１は、袋体収納カートン１の外観斜視図である。図２は、袋体収納カートン１を形成するブランクシート１０の平面図である。
【００１６】
図１に示される袋体収納カートン１は、内部空間１ａに複数の袋体１００を収納するものであり、略直方体形状に形成されている。袋体収納カートン１は、図２に示されるブランクシート１０を組み立てて作製される。
【００１７】
ブランクシート１０は、例えば、板紙を打ち抜いて形成されたものである。ブランクシート１０は、図２中、折り線２１〜２４を介して上下方向に順次連設された正面板１１、上面板１２、背面板１３、底面板１４及び重合片１５を有している。正面板１１の長手方向両側には、折り線２５を介して内側フラップ１６がそれぞれ連設されている。上面板１２の長手方向両側には、折り線２６を介して外側フラップ１７がそれぞれ連設されている。背面板１３の長手方向両側には、折り線２７を介して内側フラップ１８がそれぞれ連設されている。底面板１４の長手方向両側には、折り線２８を介して外側フラップ１９がそれぞれ連設されている。
【００１８】
図３は、正面板１１における長手方向中央（以下、単に中央と称する）を拡大した図である。正面板１１には、中央に、長手方向と直交する短手方向（以下、単に短手方向と称する）の端縁から離間して開口部３０が形成されている。開口部３０は、厚さ方向（紙面と直交する方向）に貫通して形成されている。開口部３０は、底面板１４側に配置された正面視略矩形状の外形輪郭に形成された矩形部３１と、矩形部３１から上面板１２側にやや膨らんだ形状に形成された曲線部３２とを含む。
【００１９】
正面板１１には、中央に摘み部４０と蓋部５０の一部とが設けられている。
摘み部４０は、正面板１１の長手方向に延びる略矩形状に形成されている。摘み部４０は、開口部３０を挟んだ長手方向の両側に正面板１１の端縁と平行に配置された破断線（ミシン目）Ｌ１と、破断線Ｌ１の外側端部から上面板１２に向けてそれぞれ延びる破断線Ｌ２と、開口部３０とで区画されている。摘み部４０は、正面板１１において内側の面に重合片１５が接合された領域に配置されている。
【００２０】
蓋部５０は、図１に示すように、正面板１１に配置された第１蓋部５１と、上面板１２に配置された第２蓋部５２とを含む。第１蓋部５１は、破断線Ｌ２の上面板１２側の端部から長手方向（稜線方向）両側にそれぞれ突出して形成された破断線Ｌ３と、長手方向両側にそれぞれ突出した破断線Ｌ３の先端から正面板１１と上面板１２とが交差する稜線ＲＬまで、長手方向で互いに末広がりで離間して延びる破断線Ｌ４で区画されている。
【００２１】
第１蓋部５１は、先端部において摘み部４０と連結されている。第１蓋部５１の先端部は、破断線Ｌ３で区画され摘み部４０との連結部から長手方向両側に突出して延びる段部５３を有している。段部５３の長手方向の差し渡し幅Ｗ２は、摘み部４０の幅Ｗ１よりも大きく形成されている。
【００２２】
第２蓋部５２は、破断線Ｌ４と稜線ＲＬとの交差部から折り線２２に向けて長手方向で互いに末広がりで離間して延びる破断線Ｌ５と、破断線Ｌ５の端部から折り線２２まで上面板１２の短手方向に平行して延びる破断線Ｌ６と、折り線２２と、折り線２１（稜線ＲＬ）とで区画されている。
【００２３】
図２に示されるように、破断線Ｌ４と稜線ＲＬとが交差する角度θ１と、破断線Ｌ５と稜線ＲＬとが交差する角度θ２とは異なっている。角度θ１は、角度θ２よりも大きく形成されている。ブランクシート１０において、破断線Ｌ３と破断線Ｌ４との交差部と、破断線Ｌ５と破断線Ｌ６との交差部とを結ぶ仮想直線に対して、破断線Ｌ４と破断線Ｌ５との交差部は蓋部５０としての幅が狭くなる位置に配置されている。
【００２４】
換言すると、破断線Ｌ４と破断線Ｌ５との交差部は、上記仮想直線が破断線であった場合と比較して、開いたときに構造物として寄与しない蓋部５０の面積が小さく、構造物として寄与するカートンの面積が大きくなる位置に配置されている。
【００２５】
重合片１５は、エンボス部３５と差し込み口３６とを有している。エンボス部３５は、ブランクシート１０が袋体収納カートン１として組み立てられたときに、内部空間１ａに突出して形成されている。エンボス部３５は、重合片１５における正面板１１との接合面に対して平面視矩形の凹形状に形成されている。
【００２６】
図４は、エンボス部３５および開口部３０の周辺を中央で断面した図である。
エンボス部３５は、重合片１５が正面板１１に接合されたときに、重合片１５の短手方向に延びる辺と、重合片１５の長手方向に延びる辺のうち、底面板１４側の辺が開口部３０の矩形部３１の外形と重なる位置に形成されている。エンボス部３５は、重合片１５の長手方向に延びる辺のうち、上面板１２側の辺が開口部３０の曲線部３２の外形よりもさらに上面板１２（稜線ＲＬ）側に形成されている。
【００２７】
差し込み口３６は、重合片１５が正面板１１に接合されたときに、摘み部４０と第１蓋部５１との連結部と対向する位置に長手方向に沿って形成されている。差し込み口３６は、重合片１５を切断することにより形成されている。差し込み口３６には、摘み部４０が挿抜可能である。差し込み口３６の長手方向の長さＷ３は、摘み部４０の幅Ｗ１よりも大きく、段部５３の差し渡し幅Ｗ２よりも小さく形成されている。
【００２８】
上記のブランクシート１０は、折り線２１〜２４を山折りとして、正面板１１、上面板１２、背面板１３、底面板１４及び重合片１５の順に直角に折り曲げ、重合片１５の外面と正面板１１の内面とを部分的に接着剤等により接合することで長手方向に延びる角筒状に組み立てられる。重合片１５と正面板１１との接着箇所は、第１蓋部５１、摘み部４０および開口部３０と対向しない領域である。
【００２９】
その後、複数枚重ねられた袋体１００を折り曲げた後に、さらに折り曲げ、あるいは巻回した状態で内部空間１ａに収納した後、内側フラップ１６、１８を角筒の開口側に折り込み、さらに外側フラップ１７、１９を折り込み内側フラップ１６、１８に重ね、外側フラップ１７と１９を接着剤等により固定することにより箱形の袋体収納カートン１が組み立てられる。
【００３０】
［袋体］
次に、袋体１００について、図５及び図６を参照して説明する。
図５は、複数の袋体１００の外観斜視図である。
袋体１００は、ポリエチレン等の合成樹脂で形成された袋の開口部にジッパー１０１が設けられ、ジッパー開口１０２を繰り返し開閉可能に構成したものである。袋体１００は、一例として、ジッパー開口１０２が閉じられた状態において矩形（長方形又は正方形）でシート状の外観を呈しており、本実施の形態では、長方形の外観を呈している。袋体１００は、一例として、合成樹脂で形成された１枚の長方形状のシートを、長手方向の中央で折り返し、対向するシートの、折り返した辺に直交する２つの側辺で溶着することによって袋状に形成されている。図５に示す例では、折り返した辺が底辺１０３となり、その対向する辺が開口辺（開口部）１０４となっている。
【００３１】
複数枚の袋体１００は、開口辺１０４の位置が揃った状態で積層される。袋体１００が積層される枚数としては、袋体収納カートン１に収容される枚数であり、消費者のニーズに合わせて、例えば、６枚、８枚、１０枚、１５枚、２０枚、２５枚、４０枚、６０枚等とすることができ、これら以外の任意の枚数でもよい。
【００３２】
袋体１００は、折り返されることによって重ね合わせられた合成樹脂シートが開口辺１０４では溶着されていないため、開口辺１０４にジッパー開口１０２が形成されることとなる。袋体１００は、開口辺１０４の近傍に、開口辺１０４が延びる方向と同じ方向に延びるようにジッパー１０１が設けられている。ここで、開口辺１０４の近傍とは、例えば、ジッパー１０１を支障なく開閉することができるようにジッパー１０１と開口辺１０４との間のシートを摘むことができるスペースを確保しつつ、ジッパー１０１と底辺１０３との間で形成される容積の有効容量を極力大きくするような位置である。ジッパー１０１は、本実施の形態では、スライダーがなく、人の手で着脱する線ファスナーで形成されている。
【００３３】
図６を参照して、複数枚の袋体１００を袋体収納カートン１に収容する際の曲げ方について説明する。図６は袋体１００を曲げる手順を示す側面図である。まず、図６（Ａ）に示すように、複数枚の袋体１００を水平な台など（不図示）に広げて載置する。次に、底辺１０３側の端を持ち上げて、図６（Ｂ）に示すように、底辺１０３が開口辺１０４の下側となるように、複数枚の袋体１００を二つ折りにして曲げる。このとき、曲げ部分１０５は、鋭角に折り曲げられておらず、湾曲している状態である。次に、１回曲げ状態の複数枚の袋体１００について、図６（Ｃ）に示すように、ジッパー１０１が外側となるように、曲げ部分１０５を底辺１０３に近づけるようにしてさらに二つ折りにして曲げる。二回目の曲げ抵抗が大きい場合には、ジッパー１０１が外側となるように袋体１００を巻回させて（丸めて）もよい。
【００３４】
このように、二回二つ折りにされて曲げられた複数枚の袋体１００は、ジッパー１０１を含む面が正面板１１と対向し、且つ、開口辺１０４が底面板１４と対向する向きで二つ折り線方向を稜線ＲＬ方向と平行に収納される。
【００３５】
続いて、上記構成の袋体収納カートン１を開封して袋体１００を取り出し、再封する手順について説明する。
まず、図４に示すように、正面板１１における開口部３０に指を近づけ、摘み部４０の端縁に爪Ｎを係合させて持ち上げる。このとき、エンボス部３５によって摘み部４０と重合片１５との間に隙間が形成されているため、爪Ｎの先端を隙間に挿入することにより、爪Ｎを摘み部４０の端縁に容易に係合させることができる。
【００３６】
摘み部４０の端縁を持ち上げることにより、破断線Ｌ１、Ｌ２が破断され、摘み部４０は正面板１１から分離される。
次に、正面板１１から分離された摘み部４０を摘みながら上面板１２側に引き上げることにより、破断線Ｌ３、破断線Ｌ４、破断線Ｌ５、破断線Ｌ６が順次破断される。破断線Ｌ３、破断線Ｌ４、破断線Ｌ５、破断線Ｌ６が破断されることにより、摘み部４０を介して引き上げられた蓋部５０は、図７（Ａ）に示されるように、折り線２２と一致する第２蓋部５２の背面板１３側の端縁を回転軸線として回転する。蓋部５０が回転することにより、袋体収納カートン１の内部空間１ａが開放される。
【００３７】
内部空間１ａが開放されることにより、内部空間１ａに収納されている袋体１００のうち、最も手前側に位置する袋体１００を、例えば、ジッパー１０１または開口辺１０４を摘んで取り出すことが可能になる。
【００３８】
ここで、二回二つ折りにされて曲げられた複数枚の袋体１００が図７（Ｂ）に示されるように、開口辺１０４が上面板１２と対向する向き（上向き）で収納されている場合には、最も手前側に位置する袋体１００を摘んで手前側に引き出したときに、蓋部５０の回転で内部空間１ａが開放された領域のうち、正面板１１側で開放長さが短い領域から袋体１００を引き出すことになる。そのため、袋体１００は、開放領域を挟んだ両側に位置する箇所が正面板１１と上面板１２との少なくとも一方と接触して大きな摩擦抵抗を生じさせながら引き出される。また、引き出し時に袋体１００は、重合片１５の内面、底面板１４の内面および背面板１３の内面と連続的に接触することになる。さらに、袋体１００を摘んで矢印で示すように手前側に引き出す際には、複数枚の袋体１００の全体が手前側に寄せられる方向に力が掛かった状態となるため、引き出す袋体１００と重合片１５との間に大きな摩擦抵抗が生じることになる。また、袋体の開口辺１０４が内部空間１ａの上側に来ることから、最も手前側に位置しない袋体を摘んで引き出すことも可能であり、その場合は複数枚が引き出されてしまったり、残った袋体が乱れてしまったりして、次の引き出しに支障を来たしたり、再封時の良好な封緘性が得られなくなったりする懸念が生じる。
【００３９】
これに対して、本実施形態では、図７（Ａ）に示されるように、開口辺１０４が底面板１４と対向する向き（下向き）で収納されているため、袋体１００を摘んで矢印で示すように手前側に引き出す際には、蓋部５０の回転で内部空間１ａが開放された領域のうち、背面板１３側で開放長さが長い領域から袋体１００を引き出すことになる。そのため、袋体１００は、開放領域を挟んだ両側に位置する箇所が上面板１２のみと接触するため引き出時の摩擦抵抗が小さい。また、袋体１００を摘んで手前側に引き出す際に、複数枚の袋体１００の全体が手前側に寄せられる方向に力が掛かると、引き出す袋体１００と背面板１３とが離間する方向の力となるため、引き出す袋体１００と背面板１３との間についても摩擦抵抗が低減する。従って、本実施形態では、大きな抵抗が生じることなく容易に袋体１００を取り出すことが可能である。
【００４０】
袋体１００の取り出しが完了すると、蓋部５０を再封して内部空間１ａを閉塞する。図８は、摘み部４０が分離された正面板１１における中央を拡大した図である。図９は、摘み部４０が差し込み口３６に挿入された正面板１１における中央を拡大した図である。
【００４１】
蓋部５０を再封する際には、図８に示すように、露出している差し込み口３６に、図９に示すように、上方から摘み部４０を挿入する。摘み部４０が挿入された差し込み口３６には、摘み部４０から長手方向の両側にそれぞれ突出する段部５３が係合することにより、挿入方向における摘み部４０の位置が規定される。そのため、摘み部４０が所定量以上差し込み口３６に挿入された場合に生じる第１蓋部５１と正面板１１との面ずれ、および第２蓋部５２と上面板１２との面ずれが生じることなく蓋部５０が再封される。
【００４２】
以上説明したように、本実施形態の袋体収納カートン１では、摘み部４０の両端に、差し込み口３６の幅Ｗ３よりも長い差し渡し幅Ｗ２の段部５３が形成されているため、再封時に摘み部４０が所定量以上差し込み口３６に挿入されることを防止できる。そのため、本実施形態の袋体収納カートン１では、蓋部５０を再封した際に蓋部５０が正面板１１および上面板１２と面一にすることができ良好な封緘性を維持することが可能になる。
【００４３】
また、本実施形態の袋体収納カートン１では、摘み部４０の底面板１４側の端縁よりも上面板１２側と、上記端縁よりも底面板１４側とに亘る大きさでエンボス部３５が配置されているため、摘み部４０の端縁に爪Ｎを容易に係合させることができ、摘み部４０を容易に正面板１１から破断させることが可能となる。
【００４４】
また、本実施形態の袋体収納カートン１では、破断線Ｌ４と稜線ＲＬとが交差する角度θ１と、破断線Ｌ５と稜線ＲＬとが交差する角度θ２とは異なっており、特に、角度θ１が角度θ２よりも大きく形成されているため、ブランクシート１０において、破断線Ｌ４と破断線Ｌ５とが一つの直線上に配置されている場合と比較して蓋部５０としての幅を狭くすることができる。そのため、本実施形態の袋体収納カートン１では、構造物として寄与するカートンの面積を大きくすることができ、蓋部５０を開いた際の強度低下を緩和することが可能である。
【００４５】
また、本実施形態の袋体収納カートン１では、ジッパー１０１を含む面が正面板１１と対向し、且つ、開口辺１０４が底面板１４と対向する向きで袋体１００が収納されているため、大きな抵抗が生じることなく容易に袋体１００を取り出すことが可能である。
【００４６】
以上、添付図面を参照しながら本発明に係る好適な実施形態について説明したが、本発明は係る例に限定されないことは言うまでもない。上述した例において示した各構成部材の諸形状や組み合わせ等は一例であって、本発明の主旨から逸脱しない範囲において設計要求等に基づき種々変更可能である。
【００４７】
例えば、上記実施形態では、ジッパー（線ファスナー）１０１を有する袋体１００を例示したが、この構成に限定されるものではなく、ジッパーを有していない袋体であってもよい。
【００４８】
また、上記実施形態では、摘み部４０の端縁中央に上面板１２側に膨らむ曲線形状の凹みが設けられる構成を例示したが、この構成に限定されず、摘み部４０の端縁中央が破断線Ｌ１の延長線であったり、底面板１４側に突出する凸部が設けられる構成であってもよい。
【符号の説明】
【００４９】
１…袋体収納カートン、  １０…ブランクシート、  １１…正面板、  １２…上面板、  １３…背面板、  １４…底面板、  １５…重合片、  ３５…エンボス部、  ３６…差し込み口、  ４０…摘み部、  ５０…蓋部、  ５３…段部、  １００…袋体、  １０１…ジッパー（線ファスナー部）、  １０４…開口辺（開口部）、  Ｌ３、Ｌ４、Ｌ５、Ｌ６…破断線
【図１】
2018162096.tif 000003
【図２】
2018162096.tif 000004
【図３】
2018162096.tif 000005
【図４】
2018162096.tif 000006
【図５】
2018162096.tif 000007
【図６】
2018162096.tif 000008
【図７】
2018162096.tif 000009
【図８】
2018162096.tif 000010
【図９】
2018162096.tif 000011